(57)【特許請求の範囲】
【請求項１】
複数のロッカーボックスと、ロッカーボックスの施解錠を制御する制御ユニットと、該制御ユニットに接続されたタッチパネル付きの操作ディスプレイとを備え、該制御ユニットの制御により、該操作ディスプレイのタッチパネルを操作することでロッカーボックスの利用を可能にした貸しロッカーシステムにおいて、
前記複数のロッカーボックスのうちの特定のロッカーボックス内にＡＥＤ装置が収納されるとともに該特定のロッカーボックスが施錠状態とされ、
システムの待機状態において、前記操作ディスプレイに、ロッカーボックスの利用を選択するロッカー利用選択操作部と、前記ＡＥＤ装置の使用を選択するＡＥＤ選択操作部とが表示され、
前記ロッカー利用選択操作部の操作によりロッカーボックスを利用可能にし、
前記ＡＥＤ選択操作部の操作により、前記特定のロッカーボックスの解錠を指定して、該特定のロッカーボックス内の前記ＡＥＤ装置を使用可能にしたことを特徴とする貸しロッカーシステム。
【請求項２】
前記ＡＥＤ選択操作部が操作されたとき、前記操作ディスプレイに前記特定のロッカーの解錠を選択する解錠操作部を表示し、該解錠操作部が操作されたとき、前記特定のロッカーボックスを解錠するようにしたことを特徴とする請求項１に記載の貸しロッカーシステム。
【請求項３】
前記ＡＥＤ装置を使用可能にするとともに前記操作ディスプレイにＡＥＤ装置の操作案内を表示することを特徴とする請求項１または２に記載の貸しロッカーシステム。
【請求項４】
前記ＡＥＤ装置の使用開始を外部に通報する機能を有することを特徴とする請求項１乃至３のいずれか一項に記載の貸しロッカーシステム。
【請求項５】
前記特定のロッカーボックスの扉が開となった後、前記ＡＥＤ装置の使用開始を外部に通報する機能を有することを特徴とする請求項４に記載の貸しロッカーシステム。
【請求項６】
前記特定のロッカーボックス内に、該ロッカーボックスに収納された物品を検出する物品検出センサを備え、
前記特定のロッカーボックスの扉が開となった後、所定時間内に該特定のロッカーボックス内からＡＥＤ装置が取り出されなかったとき、該未使用の状態を外部に通報する機能を有することを特徴とする請求項１乃至５のいずれか一項に記載の貸しロッカーシステム。
【請求項７】
前記ＡＥＤ装置の使用開始により、警報音の鳴動を開始することを特徴とする請求項１乃至６のいずれか一項に記載の貸しロッカーシステム。
【発明の詳細な説明】
【技術分野】
【０００１】
本発明は、例えば駅構内に設置され、複数の利用者にロッカーボックスを利用可能とした貸しロッカーシステムに関する。
【背景技術】
【０００２】
近年、ＩＣカードの普及により、コインロッカーにおいて現金のみならず、ＩＣカードにチャージされた電子マネーにより利用可能にしたものがある。例えば特開２００７−１０２２７３号公報にこの種の貸しロッカーシステムが開示されている。また、ＩＣカードによる電子マネー専用のロッカーシステムもある。このような貸しロッカーシステムでは、操作部に液晶の操作ディスプレイを備えており、この操作ディスプレイのサイズも大きくなっている。
【０００３】
ところで、近年、駅のホーム、空港、ホテル等の公共の施設においてＡＥＤ装置（自動体外式除細動器）が広く設置され、万一の事態が生じた際にはその場に居合わせた人が自由に使えるようになっている。このようなＡＥＤ装置の設置の一形態として、専用の収納スタンド内にＡＥＤ装置を収納するようにしたものが特開２００７−２４４８０４号公報に開示されている。また、自動販売機内にＡＥＤ装置を設置するようにしたものが実用新案登録第３１２５３４０号公報に開示されている。
【特許文献１】特開２００７−１０２２７３号公報
【特許文献２】特開２００７−２４４８０４号公報
【特許文献３】実用新案登録第３１２５３４０号公報
【発明の開示】
【発明が解決しようとする課題】
【０００４】
しかしながら、特許文献１のような形態では、専用のスタンドを用いる必要がある。また、特許文献２のような形態では、自動販売機にＡＥＤ装置を出し入れする扉や施錠等を行う構造を別途設ける必要がある。また、自動販売機内にＡＥＤ装置を収納するスペースを設ける必要があり、商品を収納するスペースがきわめて限られてしまい、自動販売機事態の機能が著しく低下するという問題がある。
【０００５】
本発明は、従来から多様されている貸しロッカーを利用して、簡単な構成で駅構内等の公共施設にＡＥＤ装置を容易に導入できるようにすることを課題とする。
【課題を解決するための手段】
【０００６】
請求項１の貸しロッカーシステムは、複数のロッカーボックスと、ロッカーボックスの施解錠を制御する制御ユニットと、該制御ユニットに接続されたタッチパネル付きの操作ディスプレイとを備え、該制御ユニットの制御により、該操作ディスプレイのタッチパネルを操作することでロッカーボックスの利用を可能にした貸しロッカーシステムにおいて、前記複数のロッカーボックスのうちの特定のロッカーボックス内にＡＥＤ装置（自動体外式除細動器）が収納されるとともに該特定のロッカーボックスが施錠状態とされ、システムの待機状態において、前記操作ディスプレイに、ロッカーボックスの利用を選択するロッカー利用選択操作部と、前記ＡＥＤ装置の使用を選択するＡＥＤ選択操作部とが表示され、前記ロッカー利用選択操作部の操作によりロッカーボックスを利用可能にし、前記ＡＥＤ選択操作部の操作により、前記特定のロッカーボックスの解錠を指定して、該特定のロッカーボックス内の前記ＡＥＤ装置を使用可能にしたことを特徴とする。
【０００７】
請求項２の貸しロッカーシステムは、請求項１に記載の貸しロッカーシステムであって、前記ＡＥＤ選択操作部が操作されたとき、前記操作ディスプレイに前記特定のロッカーの解錠を選択する解錠操作部を表示し、該解錠操作部が操作されたとき、前記特定のロッカーボックスを解錠するようにしたことを特徴とする。
【０００８】
請求項３の貸しロッカーシステムは、請求項１または２に記載の貸しロッカーシステムであって、前記ＡＥＤ装置を使用可能にするとともに前記操作ディスプレイにＡＥＤ装置の操作案内を表示することを特徴とする。
【０００９】
請求項４の貸しロッカーシステムは、請求項１乃至３のいずれか一項に記載の貸しロッカーシステムであって、前記ＡＥＤ装置の使用開始を外部に通報する機能を有することを特徴とする。
【００１０】
請求項５の貸しロッカーシステムは、請求項４に記載の貸しロッカーシステムであって、前記特定のロッカーボックスの扉が開となった後、前記ＡＥＤ装置の使用開始を外部に通報する機能を有することを特徴とする。
【００１１】
請求項６の貸しロッカーシステムは、請求項１乃至５のいずれか一項に記載の貸しロッカーシステムであって、前記特定のロッカーボックス内に、該ロッカーボックスに収納された物品を検出する物品検出センサを備え、前記特定のロッカーボックスの扉が開となった後、所定時間内に該特定のロッカーボックス内からＡＥＤ装置が取り出されなかったとき、該未使用の状態を外部に通報する機能を有することを特徴とする。
【００１２】
請求項７の貸しロッカーシステムは、請求項１乃至６のいずれか一項に記載の貸しロッカーシステムであって、前記ＡＥＤ装置の使用開始により、警報音の鳴動を開始することを特徴とする。
【発明の効果】
【００１３】
請求項１の貸しロッカーシステムによれば、制御ユニットに接続された操作ディスプレイに、ＡＥＤ選択操作部（画面スイッチ等）が表示されるので、通常のロッカーの利用と同様な操作でＡＥＤ装置が収納された特定のロッカーボックスを解錠することができ、ＡＥＤ装置を使用することができる。また、ＡＥＤ装置を収納する特定のロッカーボックスも、通常荷物の預け入れ取り出しを行うロッカーボックスと同じ構造でよいので、複雑な改造等も必要とせず、ＡＥＤ装置を容易に導入でき、広く普及することができる。
【００１４】
請求項２の貸しロッカーシステムによれば、請求項１の効果に加えて、ＡＥＤ選択操作部が操作されたとき、次に操作ディスプレイに解錠操作部が表示され、この解錠操作部が操作されたときに、特定のロッカーボックスが解錠されるので、二度の操作をしないと解錠しないので、ロッカー利用時の操作ミス等で不用意に解錠されることがない。
【００１５】
請求項３の貸しロッカーシステムによれば、請求項１または２の効果に加えて、ＡＥＤ装置が使用可能となったときに、操作ディスプレイにＡＥＤ装置の使用手順を知らせる操作案内が表示されるので、この案内に従ってＡＥＤ装置を容易に使用することができるので、例えば初めての人でも直ぐに対応することができる。
【００１６】
請求項４の貸しロッカーシステムによれば、請求項１、２または３の効果に加えて、ＡＥＤ装置の使用開始が外部に通報されるので、例えば特定の事務所や救急センター等に通報することができ、万一の事態に救命士や医者等を現場に急行させるなど迅速な対応が可能となる。
【００１７】
請求項５の貸しロッカーシステムによれば、請求項４の効果に加えて、ＡＥＤ装置を収納した特定のロッカーボックスの扉が開となって初めて使用開始を外部に通報するので、操作ミスやいたずら等ではなく、実際にＡＥＤ装置が使用される事態のみを例えば特定の事務所や救急センター等で把握することができる。
【００１８】
請求項６の貸しロッカーシステムによれば、請求項１、２、３、４または５の効果に加えて、物品検出センサーにより所定時間内にＡＥＤ装置が取り出されないことが検出されると未使用の状態を外部に通報するので、例えば、扉の開で通報を受けた後この未使用の状態の通報を受けたとき、操作ミスやいたずら等であると判断できる。
【００１９】
請求項７の貸しロッカーシステムによれば、請求項１、２、３、４、５または６の効果に加えて、ＡＥＤ装置の使用開始により警報音が鳴動するので、緊急事態を周囲に通報することができ、いたずら等の不正な利用を防止することができる。
【発明を実施するための最良の形態】
【００２０】
次に、本発明の貸しロッカーシステムの実施形態を図面を参照して説明する。図１は実施形態の貸しロッカーシステムの外観正面図である。このシステムは集中制御装置１とその両側及び上下にそれぞれ複数のロッカーボックス２，２，…，２１を配置したものである。ここで、符号２で示すロッカーボックスは荷物の預け入れ及び取り出しを行うロッカーボックスであり、符号２１で示すロッカーボックスはＡＥＤ装置を収納する特定のロッカーボックスである。ただし、これらのロッカー２とロッカーボックス２１の機械的な部分は同構造である。
【００２１】
集中制御装置１の内部には、タッチパネル付きＬＣＤ表示器１ａ、音声ガイド等を出力するスピーカ１ｂ、ＩＣカードＣｄからの電波を受信するカードリーダ１ｃ、レシートを発行するためのプリンタ１ｄが配設されている。また、集中制御装置１のパネル面には、ＬＣＤ表示器１ａの表示窓となる操作表示部１ａ１、スピーカ１ｂの音を外部に放出する放音孔１ｂ１、カードリーダ１ｃで電波の送受信を行うアンテナ部１ｃ１、プリンタ１ｄからレシートを排出するためのレシート出口１ｄ１が配設されている。
【００２２】
また、各ロッカーボックス２，２１には、ロッカー扉２ａ，２１ａの内部に集中制御装置１からの制御信号に基づいてロッカー扉２ａ，２１ａを施解錠する錠装置２ｂ，２１ｂが配設されている。また、特定のロッカーボックス２１内には、物品検出センサ２１Ｂが配設されるとともに、このロッカーボックス２１内にはＡＥＤ装置１００が収納されている。さらに、特定のロッカーボックス２１の扉２１ａにはＡＥＤ装置１００を収納していることを示すＡＥＤマークのシール２１ｃが貼付されている。なお、このＡＥＤマークは図４に示すように、赤色のべた地に赤、白２色のハートマークと稲妻マーク、「ＡＥＤ」の文字及び「自動体外式除細動器」の文字を印刷したものである。
【００２３】
図２は集中制御装置１及びロッカーボックス２，２１の要部ブロック図である。集中制御装置１はコンピュータで構成された制御ユニット１０を備えている。制御ユニット１０には、ＬＣＤ表示器１ａ、スピーカ１ｂ、カードリーダ１ｃ、プリンタ１ｄ及び各ロッカーボックス２，２，…，２１等が接続されている。また、制御ユニット１０は電話回線を介して外部と通信を行うための通信モデム１０ａをそなえている。
【００２４】
制御ユニット１０は、ＬＣＤ表示器１ａとのデータの授受を行い、表示データの出力とタッチパネルの操作状態の検出を行う。また、制御ユニット１０は内部の記憶装置に各種音声出力用の音声データを格納しており、その音声データをオーディオ信号に変換してスピーカ１ｂに出力する。これにより、音声ガイドや、警報メロディの鳴動等を行う。さらに、制御ユニット１０は、錠装置２ｂ，２１ｂの施解錠の制御を行うとともに、カードリーダ１ｃからのデータの入力や、プリンタ１ｄへの印字データの出力を行う。また、制御ユニット１０は通信モデム１０ａを介して外部の例えば管理会社や緊急センター等に情報を通信する。そして、制御ユニット１０は後述の制御プログラムに基づいて貸しロッカーシステムの制御を行う。なお、ロッカーボックス２，２１にはそれぞれ扉２ａ，２１ａの開閉操作や、開状態及び閉状態を検出するための扉開閉スイッチ２Ａ，２１Ａを備えている。ロッカーボックス２１は前記のように物品検出センサ２１Ｂを備えている。
【００２５】
図３は操作表示部１ａ１の表示画面の一例を示す図であり、図３(A) は待機画面、図３(B) はＡＥＤ取り出し画面の例を示している。待機画面では、「預け入れ」、「取り出し」、「残高照会」、「ご利用案内」とそれぞれ記された画面スイッチＳＷ１１、ＳＷ１２、ＳＷ１３、ＳＷ１４が表示されている。そして、この待機画面の左下にはロッカー利用選択操作部としてのＡＥＤマークの画面スイッチＳＷ１が表示されている。このＡＥＤマークの画面スイッチＳＷ１を操作すると、図３(B) のＡＥＤ取り出し画面に切り替わる。このＡＥＤ取り出し画面には、ＡＥＤマークＧ１、ＡＥＤ装置のロッカーボックス２１を解錠する操作の案内（ガイダンス）の文字Ｇ２、「開ける」と記された解錠操作部としての画面スイッチＳＷ２が表示される。そして、この画面スイッチＳＷ２を操作すると、特定のロッカーボックス２１の錠装置２１ｂが解錠される。
【００２６】
この待機画面における操作は次のように行う。利用者は、操作表示部１ａ１のタッチパネルを操作して、所望の処理を選択する。「預け入れ」の画面スイッチＳＷ１１を操作する（押す）と空き状態のロッカーボックス２の一つが解錠され、そのロッカー番号が表示される。そのロッカーボックス２に荷物を収納してロッカー扉２ａを閉めてそのロッカーボックス２のレバーやボタン等を操作すると錠装置２ｂは仮施錠される。次に、ＩＣカードＣｄを集中制御装置１のアンテナ部１ｂ１にかざすと、ＩＤコードとチャージデータの読み取りが行われ、認証されると、錠装置２ｂが本施錠される。そして、本施錠されると、利用情報等を記録したレシートが発行される。なお、詳細な説明は省略するが、荷物の取り出し時には「取り出し」の画面スイッチＳＷ１２を操作し、ＩＣカードＣｄをアンテナ部１ｂ１にかざすことで対応するロッカーボックス２の錠装置扉２ａが解錠される。
【００２７】
一方、特定のロッカーボックス２１はＡＥＤ装置１００を収納した状態で、その扉２１ａ（錠装置２１ｂ）は施錠状態となっている。そして、図３(A) の待機画面でＡＥＤマークの画面スイッチＳＷ１を操作すると、図３(B) のＡＥＤ取り出し画面に切り替わり、このＡＥＤ取り出し画面の「開ける」の画面スイッチＳＷ２を操作すると、特定のロッカーボックス２１の錠装置２１ｂが解錠される。また、このとき集中制御装置１のスピーカ１ｂからＡＥＤ装置１００の使用手順等を説明する音声ガイドが流され、さらに、このガイドが終わると警報メロディが鳴動する。そして、扉２１ａを開けて、ＡＥＤ装置１００を取り出して使用する。なお、このＡＥＤ装置１００が取り出されたことは物品検出センサ２１Ｂで検出される。使用を終了してＡＥＤ装置１００をロッカーボックス２１に収納し、扉２１ａを閉めると錠装置２１ｂが施錠される。
【００２８】
図５〜図８は集中制御装置１の制御ユニット１０における制御プランジャの要部フローチャートであり、図５及び図６はメイン処理のフローチャート、図７は預け入れ処理の要部フローチャート、図８は取り出し処理の要部フローチャートである。次に、同フローチャートを参照しながら動作を説明する。先ず図７及び図８から説明する。
【００２９】
図７４の処理は、メイン処理において「預け入れ」の画面スイッチＳＷ１１が操作され、空きロッカーボックス２のうち、所望のロッカーボックス２が選択された状態から起動される。まず、ステップＳ４１、Ｓ４２で扉２ａが閉められるのを監視し、扉２ａが閉められず、所定時間経過するとステップＳ４２からメインルーチンに復帰する。扉２ａが閉められると、ステップＳ４３で錠装置２ｂを仮施錠し、ステップＳ４４で利用料金を表示してステップＳ４５に進む。
【００３０】
ステップＳ４５では、ＩＣカードＣｄからデータの読み取りを行い、ＩＣカードＣｄのＩＤコード、チャージデータの情報を読み取り、ＩＤコードの確認とチャージデータの確認を行う。次に、ステップＳ４６でチャージデータの金額（チャージ金額）が利用料金以上であるか否かを判定する。チャージ金額が利用料金以上でなければ、ステップＳ４７でチャージ料金が不足していることを表示して元のルーチンに復帰し、チャージ金額が利用料金以上（同額も含む）であれば、ステップＳ４８に進む。ステップＳ４８では、ＩＤコードを該当するロッカーボックス２に対応する情報として記憶し、ステップＳ４９に進む。ステップＳ４９では、利用料金をチャージデータから引き落とし、レシートに利用情報を印字して発行し、ステップＳ５０で錠装置２ｂを本施錠してメインルーチンに復帰する。
【００３１】
図８の処理は、メイン処理において「取り出し」の画面スイッチＳＷ１２が操作されたとき起動される。まず、ステップＳ５１で、ＩＣカードＣｄからデータの読み取りを行い、ＩＣカードＣｄのＩＤコード、チャージデータの情報を読み取り、ＩＤコードの確認とチャージデータの確認を行う。次に、ステップＳ５２で、読み取ったＩＣカードのＩＤコードの認証処理を行い、ステップＳ５３で認証されればステップＳ５４に進み、認証されなければそのままメインルーチンに復帰する。ステップＳ５４では、超過料金が発生しているかを判定し、発生していなければステップＳ６でＩＤコードに対応するロッカーの錠装置２ｂを解錠してメインルーチンに復帰する。
【００３２】
超過料金が発生していれば、ステップＳ５５で超過料金を表示し、ＩＣカードＣｄにより料金の支払いを依頼する表示を行い、ステップＳ５６に進む。ステップＳ５６ではＩＣカードＣｄからデータの読み取りを行い、ステップＳ５７でチャージデータの金額（チャージ金額）が超過料金以上であるか否かを判定する。チャージ金額が超過料金以上でなければ、ステップＳ５８でチャージ料金が不足していることを表示して元のルーチンに復帰し、チャージ金額が超過料金以上（同額も含む）であれば、ステップＳ５９で、超過料金をチャージデータから引き落とし、レシートに利用情報を印字して発行する。そして、ステップＳ６０で錠装置２ｂを解錠してメインルーチンに復帰する。
【００３３】
以下の説明では、ＡＥＤ装置１００を収納したロッカーボックス２１を「ＡＥＤ収納ボックス」ともいう。図５のメイン処理では、ステップＳ１で図３(A) の待機画面を表示し、ステップＳ２で画面操作の有無を監視する。画面が操作されると、ステップＳ３でＡＥＤマークの画面スイッチＳＷ１が操作されたか判定し、その他の画面スイッチであればステップＳ４で前記のように預け入れ、取り出しの処理を行う。また残高照会、利用案内等の処理も行うが、これは待機画面で画面スイッチＳＷ１３，ＳＷ１４が操作されたときの処理である。
【００３４】
ステップＳ３で、ＡＥＤマークの画面スイッチＳＷ１の操作と判定すると、ステップＳ５で物品検出センサ２１Ｂに基づいてＡＥＤ装置１００がＡＥＤ収納ボックス２１内に収納されているか否かを判定する。収納されていなければ、図６のステップＳ２５に進んで後述の収納の処理を行い、収納されていれば、ステップＳ６で、図３(B) のＡＥＤ取り出し画面に切り替えて、前記ＡＥＤ装置１００を取り出すためのＡＥＤ収納ボックス２１の解錠操作の案内Ｇ２を表示する。また、その案内を示す音声ガイダンスを出力する。
【００３５】
次に、ステップＳ７、Ｓ８で、「開ける」の画面スイッチＳＷ２が操作されるのを監視し、１５秒以内に操作がなければステップＳ１に戻る。画面スイッチＳＷ２の操作があれば、ステップＳ９でＡＥＤ収納ボックス２１の錠装置２１ｂを解錠し、ステップＳ１０、Ｓ１１で扉２１ａが開けられるのを監視する。１５秒以内に扉２１ａが開けられなければステップＳ１２で錠装置２１ｂを施錠してステップＳ１に戻る。
【００３６】
１５秒以内に扉２１ａが開けられたら、ステップＳ１３で、扉が開けられたことを電話回線で例えば所定の管理事務所等に通報し、ステップＳ１４に進む。ステップＳ１４では、ＡＥＤ装置１００の使用手順等を説明する操作案内を操作表示部１ａ１に表示するとともに、その操作案内をスピーカ１ｂで音声ガイドし、ステップＳ１５に進む。
【００３７】
次に、ステップＳ１５、Ｓ１６で、物品検出センサ２１ＢによりＡＥＤ収納ボックスからＡＥＤ装置１００が取り出されるのを監視する。所定時間内に取り出されなければ、ステップＳ１７で扉２１ａが閉状態であるかを判定し、閉状態であればステップＳ１８で錠装置２１ｂを施錠してステップＳ１に戻る。また、閉状態でなければ、図６のステップＳ２２に進む。ＡＥＤ装置１００が所定時間内に取り出されたら、ステップＳ１９でスピーカ１ｂにより警報メロディを鳴動し、ステップＳ１に戻る。
【００３８】
図６のステップＳ２０では、ＡＥＤ収納ボックスの扉２１ａが開状態であるかを判定し、開状態であれステップＳ２１で、物品検出センサ２１Ｂに基づいてＡＥＤ装置１００がＡＥＤ収納ボックス２１内に収納されているか否かを判定する。収納されていなければ、ステップＳ２５に進み、収納されていれば、ステップＳ２２で、ＡＥＤ装置１００が使用中でもなく扉解放状態であることを管理会社（外部）に通報し、図５のステップＳ１に戻る。収納されていなければ、ＡＥＤ装置１００を使用中であると判断し、ステップＳ２５に進む。
【００３９】
ステップＳ２０で扉２１ａが開状態でなければ、ステップＳ２３で、図３(A) の待機画面を表示し、ステップＳ２４でＡＥＤマークの画面スイッチＳＷ１が操作されたか判定し、操作されなければステップＳ２０に戻る。画面スイッチＳＷ１が操作されたら、ステップＳ２５で、物品検出センサ２１Ｂに基づいてＡＥＤ装置１００がＡＥＤ収納ボックス２１内に収納されているか否かを判定する。収納されていなければ、ステップＳ２６に進み、収納されていればＡＥＤ装置１００の取り出し開始と判断して図５のステップＳ６に進む。
【００４０】
ステップＳ２６では、操作表示部１ａ１にＡＥＤ装置１００を収納するように促すメッセージを表示し、ステップＳ２７で、ＡＥＤ収納ボックス２１の錠装置２１ｂを解錠するる。つぎに、ステップＳ２８で、物品検出センサ２１Ｂにより、ＡＥＤ装置１００が収納されるのを監視し、ＡＥＤ装置１００が収納されずに所定時間経過するとステップＳ２０に戻る。所定時間内にＡＥＤ装置１００が収納されると、ステップＳ３０、Ｓ３１で扉２１ａが閉められるのを監視し、扉２１ａが閉められず、所定時間経過するとステップ２２に進む。所定時間内に扉２１ａが閉められると、ステップＳ３２で、錠装置２１ｂを施錠し、ステップＳ３３で警報メロディを停止してステップＳ２０に戻る。
【００４１】
以上の実施形態では、ＡＥＤのマークの画面スイッチＳＷ１と「開ける」の画面スイッチＳＷ２とを操作することで解錠されるようにしているので、誤操作を低減できるが、一つの画面スイッチの操作で直ぐに解錠するようにしてもよい。
【００４２】
また、実施形態では、ＡＥＤ収納ボックス（特定のロッカーボックス）２１が集中制御装置１０の直ぐ近く（上部）にあるので、取り出し操作等がし易くなるが、このＡＥＤ収納ボックスは、例えばロッカーシステムの管理者等が管理者モードにおいて任意のロッカーボックスをＡＥＤ収納ボックスとして設定するようにしてもよい。
【００４３】
また、実施形態では、ＡＥＤ装置の使用手順を説明する案内を画面の表示と音声ガイダンスの両方で行うので、より理解しやすいが、画面の表示と音声ガイドとのいずれか一方でもよい。また、この画面の表示や音声ガイダンスを行うタイミングは、実施形態に限定されるものではなく、適宜のタイミングを行ってもよい。さらに、警報メロディの鳴動は行わなくてもよい。
【００４４】
また、実施形態では、ＡＥＤ収納ボックス２１の扉２１ａにＡＥＤマークのシール２１ｃを貼付するようにしているが、この扉２１ａに窓等を設けて中のＡＥＤ装置を視認できるようにしてもよい。この場合は、管理者は中の状態を直ぐに確認できる。
【図面の簡単な説明】
【００４５】
【図１】本発明の実施形態の貸しロッカーシステムの外観正面図である。
【図２】実施形態における集中制御装置及びロッカーボックスの要部ブロック図である。
【図３】実施形態における操作表示部の表示例を示す図である。
【図４】実施形態におけるＡＥＤマークを示す図である。
【図５】実施形態におけるメイン処理の一部フローチャートである。
【図６】実施形態におけるメイン処理の他の一部フローチャートである。
【図７】実施形態における預け入れ処理のフローチャートである。
【図８】実施形態における取り出し処理のフローチャートである。
【符号の説明】
【００４６】
１            集中制御装置
２            ロッカーボックス
２１          ＡＥＤ収納ボックス（特定のロッカーボックス）
１０          制御ユニット
１ａ１        操作表示部
１ｂ          スピーカ
２ｂ，２１ｂ  錠装置
１００        ＡＥＤ装置
【図１】
0005140452.tif 000002
【図２】
0005140452.tif 000003
【図５】
0005140452.tif 000004
【図６】
0005140452.tif 000005
【図７】
0005140452.tif 000006
【図８】
0005140452.tif 000007
【図３】
0005140452.tif 000008
【図４】
0005140452.tif 000009